(57)【要約】      （修正有）【課題】使いやすく、安価で、初心者でも抵抗感なく使用できる携帯用洗浄器を提供する。【解決手段】洗浄液噴出ノズル部１と、この洗浄液噴出ノズル部の下端に着脱可能に取り付けた洗浄液タンク部２とよりなり、洗浄液タンク部は、底面がやや広めのうさぎ型、若しくは犬、ねこその他の動物、植物、果物、人物またはキャラクターを模した型の中から選択したひとつの型より形成されているとともに、この洗浄液タンク部に洗浄液噴出ノズル部を偏心して取り付けるようにした。【選択図】図１
0003193097.tif 000002
【実用新案登録請求の範囲】
【請求項１】
洗浄液噴出ノズル部と、この洗浄液噴出ノズル部の下端に着脱可能に取り付けた洗浄液タンク部とよりなり、前記洗浄液噴出ノズル部は、その上方に適数個の洗浄液噴出口が配置されたノズルと、一端が前記ノズル内に他端が前記洗浄液タンク部の下方に開口する洗浄液送給管と、同洗浄液送給管に設けた逆止弁と、外部に連通し前記洗浄液タンク部内に開口する空気吸込み管と、同空気吸込み管に設けた逆止弁とを具えており、前記洗浄液タンク部は、底面がやや広めのうさぎ型、若しくは犬、ねこその他の動物、植物、果物、人物またはキャラクターを模した型の中から選択したひとつの型より形成されているとともに、この洗浄液タンク部に前記洗浄液噴出ノズル部が偏心して取り付けられていることを特徴とする携帯用洗浄器。
【考案の詳細な説明】
【技術分野】
【０００１】  本考案は、携帯用の女性用局部洗浄器に関するものである。
【背景技術】
【０００２】  携帯用洗浄器は、外出先にも手軽に携帯し、局部を洗浄できるので、女性にとって待ち望んだものである。従来、この種の携帯用洗浄器としては、必要時に組み立てて使用する方式のものがあるが、構造が複雑で部品点数が多く組み立てが煩雑であるとともに製造費用が嵩む等の不便があった（特許文献１参照）。また、全体として単純ひょうたん型であったため、可愛いさに欠け特に初心者にとっては使おうという気になれず、携帯や使用に際し、大きな抵抗感があった（特許文献２参照）。
【先行技術文献】
【特許文献】
【０００３】
【特許文献１】実用新案登録第３１０９９３５号公報
【特許文献２】実用新案登録第３１３０６１１号公報
【考案の概要】
【考案が解決しようとする課題】
【０００４】今までの携帯用洗浄器では、予め洗浄液を内部に入れておく形式であるので重く、洗浄液がこぼれてしまう事もある。また、携帯時にバッグの中に洗浄液が漏れてしまうおそれがある。デザインにしてもノズル部分に凹凸があったり全体形状が大型すぎたりで、使用しにくく、はじめて使用する人の場合には抵抗感が大きく使いづらいものであった。さらにまた、予め洗浄液を充填した使い捨て方式のものは極めて不経済であった。更に、底面積が小さい割に背丈が高いために、極めて不安定で倒れるおそれがあった。
【課題を解決するための手段】
【０００５】  本考案は、上記のような従来のものの欠点を解消して使いやすく、安価で、初心者でも抵抗感なく使用できる携帯用洗浄器を提供するものである。【０００６】  すなわち、本考案は、洗浄液噴出ノズル部と、この洗浄液噴出ノズル部の下端に着脱可能に取り付けた洗浄液タンク部とよりなり、前記洗浄液噴出ノズル部は、その上方に適数個の洗浄液噴出口が配置されたノズルと、一端が前記ノズル内に他端が前記洗浄液タンク部の下方に開口する洗浄液送給管と、同洗浄液送給管に設けた逆止弁と、外部に連通し前記洗浄液タンク部内に開口する空気吸込み管と、同空気吸込み管に設けた逆止弁とを具えており、前記洗浄液タンク部は、底面がやや広めのうさぎ型、若しくは犬、ねこその他の動物、植物、果物、人物またはキャラクターを模した型の中から選択したひとつの型より形成されているとともに、この洗浄液タンク部に前記洗浄液噴出ノズル部が偏心して取り付けられていることを特徴とする。
【考案の効果】
【０００７】  本考案の携帯用洗浄器によれば、手軽に携帯できて簡単に組立てができ、どこでもいつでも容易に使用できるものである。また、デザイン的にもすっきりしているので、初めての女性にも使いやすく、少ない力でも洗浄力が劣らず、更に底面が広くなっているので、安定性が増し倒れにくい。【０００８】  さらにまた、外面が滑らかで携帯しやすく容器が洗いやすくなるとともに、洗浄液タンク部を動物やキャラクターなどを模して可愛く仕上げることにより初心者でも抵抗感なく携帯できるものである。
【考案を実施するための最良の形態】
【０００９】  本考案携帯用洗浄器の実施例を図１、および図２によって説明する。
図１は、本考案装置の全体側面図、図２は図１のＡ−Ａ線で切断したときの要部拡大断面図である。１は洗浄液噴出ノズル部で、この洗浄液噴出ノズル部１の下端に洗浄液タンク部２がねじ３で着脱可能に取り付けられている。洗浄液タンク部２は底面がやや広めのうさぎ型をしている。更にこの洗浄液タンク部２は、ＥＶＡ樹脂等で作られており側壁を押圧すると変形し、離すと自動的に復元する弾力性を有する。そして、この洗浄液タンク部２の偏った位置に前記洗浄液噴出ノズル部１が偏心して取り付けられている。【００１０】  また、洗浄液噴出ノズル部１の先端部分には表面が滑らかなノズル４が形成され適数個の洗浄液噴出孔５が形成されている。洗浄液噴出孔５の噴出方向は全周方向にわたっているのが好ましい。６は洗浄液タンク部２の洗浄液をノズル４に送り出すための送給管でその中間部には逆止弁７が取り付けられている。８はタンク部２内に外気を取入れるための空気吸込み管でその外部開口部９は角度ａだけ下向きに形成されている。１０は逆止弁である。【００１１】  そして、図１に示すように本考案装置は、全体としてうさぎを模した形状を呈しており、２０が、洗浄液タンク部２を構成する胴体、２１が顔、２２がノズル４を構成する耳、２３が尻尾である。そして、洗浄液タンク部２を構成するうさぎの胴体２０の中心に対してノズル部１が偏心して取り付けられている。また、２４はうさぎの底面である。これは、胴体２０と尻尾２３でなるべく広い面積で洗浄器が安定するように工夫している。【００１２】  このような携帯用洗浄器を使用するときには、まず洗浄液例えば水を水道管から洗浄液タンク部２に貯留する。つぎに洗浄液タンク部２と洗浄液噴出ノズル部１をねじ３で螺合させる。そこで、洗浄液タンク部２を指等で押圧すると、逆止弁１０は閉じ、逆止弁７が開いて洗浄液は送給管６を通りノズル４に送られる。そして洗浄液は洗浄液噴出孔５から噴出して局部の洗浄を行う。【００１３】  ついで、洗浄液タンク部２への押圧を緩めると、ＥＶＡ樹脂の復元力により洗浄液タンク部２は負圧となるので、逆止弁７が閉じ、逆止弁１０が開いて外気を空気吸込み管８を通じて洗浄液タンク部２に取込み洗浄液タンク部２内を通常の気圧に戻す。この動作を間欠的に繰り返して局部を洗浄するのである。このとき、ノズル部１に対して偏心して取り付けられたタンク部２つまりうさぎの胴体２０は、片側に突出しているので指などで押すとつまみやすく、かつ簡単に押圧しやすい。【００１４】  なお、空気吸込み管８の開口部９を下向きに形成したのは、噴出孔５より局部内に噴出した洗浄液がノズル４の外部を伝って流れでたときにも、なるべく空気吸込み管８から洗浄液を吸込まないように工夫したものである。また、図２に示すようにこのような空気吸込み管８を複数個設けておくことによりそれらの支障は防止できる。逆に空気吸込み管８は１個だけ設けても機能する。さらに洗浄液噴出ノズル部１と洗浄液タンク部２とは両者をねじ３で螺合して結合するものについて説明したが、この例にとらわれずパック式やノッチ式など液密状態に着脱できるものであればどのような結合手段でも構わない。【００１５】  この図面に示す実施例においては、洗浄液タンク部２は底面２４がやや広めのうさぎ型について説明したが、本考案装置はうさぎ型に限らず犬、ねこその他の動物、植物、果物、人物またはキャラクターを模した型の中から適宜選択して使用することができる。そして、動物であればノズル部１を耳、角、首、くちばしなどに擬態化するのである。そこに色彩、模様を付加えることによりさらに可愛く仕上げ持ち歩き、使用に抵抗感をなくすことができる。特に、災害時の被災地などにおいて、入浴できないような状況に陥ったときでも、手軽に洗浄器を使用することができる大変便利なものである。【００１６】  この考案の携帯用洗浄器によれば、携帯時に洗浄液を持ち歩く必要がないので重くなく液漏れの心配もない。また、ボトルの復元力が早いので洗浄液が少なくなっても噴出力が変わらず洗浄力がよい。さらに、噴出孔の工夫により少ない液量でもきれいに洗浄できる。さらにまた、空気吸込み管８の開口部９を下向きに形成したので、洗浄液を再度吸入することが少ない。洗浄液タンク部２がＥＶＡ樹脂等で作られるとともに底面がやや広めのうさぎ型、若しくは犬、ねこその他の動物、植物、果物、人物またはキャラクターを模した型の中から選択したひとつの型より形成され、いろんな色彩を採用することができ、かわいさを前面に出し暗いイメージを払拭して持ち歩きを楽しいものにさえできる。
【図面の簡単な説明】
【００１７】
【図１】本考案装置の全体側面図
【図２】図１のＡ−Ａ線で切断したときの要部拡大断面図である。
【符号の説明】
【００１８】１  洗浄液噴出ノズル部
２  洗浄液タンク部
３  ねじ
４  ノズル
５  洗浄液噴出孔
６  送給管
７  逆止弁
８  空気吸込み管
９  開口部
１０  逆止弁
２０  うさぎ型の胴体
２１  うさぎ型の頭
２２  うさぎ型の耳
２３  うさぎ型の尻尾
２４  うさぎ型の底面
【図１】
0003193097.tif 000003
【図２】
0003193097.tif 000004